(57)【要約】      （修正有）【課題】オートインジェクタやペン型注射器といった医療用廃棄物を、患者から医療機関に安全に回収することができる医療用廃棄物収納袋を提供する。【解決手段】柔軟な合成樹脂製である裏面シート２と表面シート３を重ね合わせて周縁を溶着することによって袋を形成する。平面である裏面シート２に対し、表面シート３は途中で裏面シート側に基方へ折り返し、基方への折り返しに続けて先方へ折り返すことによってマチ４を形成する。マチ４の先方への折り返し部分５に医療用廃棄物を通過させることができる大きさの貫通孔６を設け、マチ４先端部の解放部７から、貫通孔６を通過させて医療用廃棄物を袋内に投入する。一旦投入したものは、マチの存在によって簡単には外部に飛び出さない。【選択図】図１
0003205156.tif 000002
【実用新案登録請求の範囲】
【請求項１】
柔軟な合成樹脂製シートである裏面シートと表面シートを重ね合わせて周縁を溶着する収納袋であって、
平面である裏面シートに対し、表面シートは途中で裏面シート側に基方へ折り返し、該基方への折り返しに続けて先方へ折り返すことによってマチを形成し、該マチの先方への折り返し部分に医療用廃棄物を通過させることができる大きさの貫通孔を設けたことを特徴とする医療用廃棄物収納袋。
【請求項２】
マチの先方に裏面シート及び表面シートを重ね合わせた延長部を設け、該延長部を折り返してマチの解放部分を塞ぐ折り返し蓋とすることを特徴とする請求項１記載の医療用廃棄物収納袋。
【請求項３】
マチに設ける貫通孔は、先方への折り返し部分を円弧状に切除して、裏面シート及び表面シートを広げるときに略円形の貫通孔がマチ内に形成されることを特徴とする請求項１又は２記載の医療用廃棄物収納袋。
【請求項４】
マチに設ける貫通孔は、マチとなる先方への折り返し部分の稜線を一定寸法切断し、裏面シート及び表面シートを広げるときに稜線の切断部分が貫通孔として開口することを特徴とする請求項１又は２記載の医療用廃棄物収納袋。
【請求項５】
マチの外表面先端部分に引き紐の先端を固定し、引き紐の後端は表面シートの基方に延長し、引き紐の後端部に指掛け部を形成したことを特徴とする請求項１ないし４のいずれかに記載の医療用廃棄物収納袋。
【請求項６】
引き紐は帯状のシート材とし、該シート材の基方部分に指掛け部として貫通孔を穿設したことを特徴とする請求項５記載の医療用廃棄物収納袋。
【考案の詳細な説明】
【技術分野】
【０００１】
本考案は、オートインジェクタ、ペン型注射器といった医療用廃棄物を収容する袋の構造に関する考案である。
【背景技術】
【０００２】
糖尿病患者のインスリン製剤や、リュウマチ治療薬は、通常オートインジェクタ、ペン型注射器と呼ばれる使い捨て注射器によって患者自身が日常的に注射を行っているが、これら薬剤は事故のないように、厳密に管理される必要がある。したがって、医療機関から患者に支給された薬剤は、安全に医療機関に回収され、改めて新たな薬剤が患者に支給される。
従来、注射器の廃棄容器として特許文献１に開示されるように蓋付の容器内に注射器を投入する方法や、特許文献２に開示されるようにボトル状の容器にペン型注射器の注射針部分のみを取り外して収納する方法が知られている。
ペン型注射器やオートインジェクタと呼ばれる注射器では、安全のため注射以外のときには注射針が注射器本体内に隠されるものがある。このようなものでは、注射針が突出しないため注射器全体を袋に収容して、収容した注射器が袋から飛び出さない限り安全に扱うことができる。
【先行技術文献】
【特許文献】
【０００３】
【特許文献１】特開２０１１−２１２３９９号公報
【特許文献２】特開２０１４−１８４５６号公報
【考案の概要】
【考案が解決しようとする課題】
【０００４】
従来公知の頑丈な容器やボトルは、コスト高となるとともに嵩張る欠点がある。  
本考案は、オートインジェクタなどの注射器といった医療用廃棄物を、収納して安全に取り扱うことができるとともに、医療機関に確実に回収することができる、回収用の袋を安価に実現することを目的とするものである。特に、注射器を袋内に収容し易く、収容したものが妄りにこぼれ出すことがない、廃棄物収納袋を実現することを目的とするものである。
また、リュウマチ患者には、指先を動かしにくいなど、手指が不自由な人がいる。このような手指の不自由な患者にとっては、使用した注射器を袋に入れるのも困難な場合がある。本考案は上記手指の不自由な人にとっても、使用済の注射器を比較的容易に袋に投入することができる収納袋を提供することを目的とするものである。
【考案の開示】
【課題を解決するための手段】
【０００５】
上記目的を達成する、請求項１に記載の考案は、柔軟な合成樹脂製シートである裏面シート２と表面シート３を重ね合わせて周縁を溶着する収納袋１である。
平面である裏面シート２に対し、表面シート３は途中で裏面シート２側に基方へ折り返し、該基方への折り返しに続けて先方へ折り返すことによってマチ４を形成し、該マチ４の先方への折り返し部分５に医療用廃棄物を通過させることができる大きさの貫通孔６を設けた医療用廃棄物収納袋である。
【０００６】
請求項２記載の考案は、マチ４の先方に裏面シート２及び表面シート３を重ね合わせる延長部を設け、該延長部を折り返してマチ４の解放部を塞ぐ折り返し蓋８とすることである。
請求項３記載の考案は、マチ４に設ける貫通孔６として、先方への折り返し部分５を円弧状に切除して、裏面シート及び表面シートを広げるときに略円形の貫通孔６がマチ４内に形成されることである。
【０００７】
請求項４記載の考案は、マチ４に設ける貫通孔６として、マチとなる先方への折り返し部分５の稜線を一定寸法切断し、裏面シート２及び表面シート３を広げるときに稜線の切断部分が貫通孔として開口することである。
【０００８】
請求項５記載の考案は、マチ４の外表面先端部分に引き紐９の先端を固定し、引き紐９の後端は表面シート３の基方に延長し、引き紐９の後端部に指掛け部10を形成したことである。
請求項６記載の考案は、請求項５記載の考案における引き紐９を帯状のシート材とし、この帯状のシート材の基方部分に指掛け部10として貫通孔を穿設したことである。
【考案の効果】
【０００９】
請求項１記載の本考案医療用廃棄物収納袋によれば、柔軟な合成樹脂製袋のマチ４の解放部から狭小部であるマチ４の折り返し部分５に形成される貫通孔６から袋内に医療用廃棄物を投入するため、投入時はマチの傾斜に沿って円滑に投入することができ、折り返し部分５の自然な折曲動作によって、折り返し部分５に形成された貫通孔６が常時狭められることになり、一旦投入された医療用廃棄物Ａ、具体的にはペン型注射器やオートインジェクタは、袋内に閉じ込められ容易に飛び出すことがない。したがって、使用済の医療用廃棄物を安全、確実に医療機関に回収することができる。
また、本考案の医療用廃棄物収納袋は、二枚の柔軟な合成樹脂製シートを溶着するという、比較的簡単な工程で製造することができるため、従来の廃棄容器に比較して安価に提供することができる。
【００１０】
請求項２記載の考案によれば、マチ４の先方に設けた延長部を折り返してマチの解放部７を塞ぐ折り返し蓋８とし、この折り返し蓋を折り返すことによって貫通孔が狭められる効果がある。また、折り返し蓋８を設けることによって、例え貫通孔６から医療用廃棄物Ａが飛び出すようなことがあっても、袋内に確実に保持することができる。
請求項３記載の考案によれば、貫通孔６の形状を円形断面である医療用廃棄物Ａの形状に一致させて設けることができる。請求項４記載の考案によれば、比較的大きな医療用廃棄物Ａを通過させる貫通孔６を容易に形成することができるとともに、収納後の貫通孔をなるべく閉じられた状態に維持する効果がある。
【００１１】
請求項５及び６記載の考案によれば、マチ４の解放部７を手指で開くことなく、一方の手で折り返し蓋８部分を押さえた状態で、他方の手で引き紐９を引っ張ることによってマチ４の解放部７を確実に広げることができ、手指の動きが不自由な人でも、比較的容易に医療用廃棄物を、袋内に投入することができる。
請求項６記載の考案によれば帯状の引き紐９に、貫通孔として形成した指掛け部10に、手の指を通して、手全体を移動させることによって引き紐９を確実に引っ張ることができる。
【図面の簡単な説明】
【００１２】
【図１】図１は、本考案医療用廃棄物収納袋の実施形態を示す平面図、
【図２】図２は、図１のII‐II線断面図、
【図３】図３は、図１に示す実施形態の裏面シート及び表面シートを分離させて展開した平面図、
【図４】図４は、医療用廃棄物を収容する場合のマチ部の変化を示す部分断面図、及び医療用廃棄物を収容した状態の縦断面図、
【図５】図５は、医療用廃棄物収納袋の、別の実施形態を示す平面図、
【図６】図６は、図５のVI‐VI線断面図、
【図７】図７は、図５に示す実施形態の裏面シート及び表面シートを分離させて展開した平面図、
【図８】図８は、図５に示す実施形態の医療用廃棄物収納袋の使用手順を示す概略図。
【考案を実施するための最良の形態】
【００１３】
以下、本考案に係る医療用廃棄物収納袋の実施形態を添付の図面に基づいて説明する。
図１は、本考案医療用廃棄物収納袋の実施形態を示す平面図、図２は、図１のII‐II線断面図、図３は、図１に示す実施形態の裏面シート及び表面シートを分離させて展開した平面図である。
【００１４】
本考案に係る医療用廃棄物収納袋は、二枚の柔軟な合成樹脂製シートによって構成する。すなわち、裏面シート２と、表面シート３を重ね合わせ、周縁を溶着して袋状とするものである。このとき、平面状の裏面シート２に重ねる表面シート３には、折り返しによってマチ４を形成する。
すなわち図３に示すように、裏面シート２と表面シートは同じ幅であって、表面シート３を長寸法とする。表面シート３は、中間よりもやや先方位置において山折りの折り線11によって先方部分を基方に折り返し、続いてマチ４の深さに相当する先方部分を谷折りの折り線によって折り返し部分５を形成する。
谷折りの折り線部分(折り返し部分５)には、折り返した状態で半円の切欠部を形成することによって、展開状態で円形となる貫通孔６を形成している。
【００１５】
折り線11及び折り返し部分５でマチを形成した状態で裏面シート２と表面シート３の全長が等しくなるようにし、重ね合わせた全周を、周縁の溶着部12で溶着し袋状とする。この時、マチ４を形成する折り線11部分がマチ４の解放部７となる。折り返しによるマチを形成した部分の僅かに先方位置に、幅方向の溶着部13を設け、該溶着部13よりも先方に延長部を設け、この延長部を前記幅方向の溶着部13で折り返すことによって、折り返し蓋８とする。図３における延長部14、14が重着されて折り返し蓋８となる。マチ部４の外表面と、折り返し蓋８には、係止具としてスナップ釦15、15を設けている。
【００１６】
上記構成によって形成する医療用廃棄物収納袋は、図２、図４(ａ)に示すように、マチ４の先端が開放部７となり、マチ４の基端部(奥)に貫通孔６が形成されることになる。図４(ａ)は、マチ４が折り畳まれた状態であって、折り返し部分５に形成された貫通孔６は二つ折り状態とされることによって閉塞される。
図４(ａ)の状態で解放部７を大きく広げると、図４(ｂ)に示すように、マチ４の内奥に位置する二つ折り状態の貫通孔６が広げられて、大きな貫通孔が形成される。この広げられた大きな貫通孔６を通過させて、医療用廃棄物Ａを袋内に収容することができる。貫通孔６の大きさは、図４(ｂ)のように、広げられた状態でなるべく窮屈な状態で医療用廃棄物を通過させることができる大きさとしておくのが好ましい。
貫通孔６から医療用廃棄物を袋内に挿入した後、図４(ｃ)に示すように、折り返し蓋８折り返し、折り返し蓋８によって開放部７を塞ぎ、折り返し蓋８をスナップ釦15で係止することによって、医療用廃棄物を袋内にしっかりと保持することができる。  
【００１７】
図５ないし図８は、本考案の別の実施形態を示す平面図である。この実施形態と、先に説明した図１ないし図４に示す実施形態の違いは、表面シート３のマチ４の折り返し部分５に形成する貫通孔６が、図１ないし図４に示す実施形態では、円弧状に切除するものであるのに対して、図５ないし図８に示す実施形態では、折り返し部５の稜線を一定寸法切除している。この実施形態では切除された稜線部分が広げられることによって貫通孔６が形成される。
【００１８】
さらに、図６、図７に示す実施形態では、表面シート３の基部に折り返しによるマチ18を設けている。マチ18は裏面シート２の基部に折り返しを形成することによって形成するものであってもよい。マチ18は袋の底部に相当し、マチ18の存在によって医療用廃棄物を収納するときに、内容量を大きくすることができる。なお、折り返し蓋８に設ける係止手段は、図１〜図４に示す実施形態では、スナップ釦15としているが、図６、図７に示す実施形態では面ファスナー19としている。このように、係止手段を面ファスナー19とすることによって折り返し蓋８係止を容易に行うことができる。
【００１９】
さらに、図５ないし図８に示す実施形態では、マチ４の外表面先端部分に引き紐９の先端を固定し、引き紐９の後端を表面シートの基方に延長している。
引き紐の形態は比較的細い紐など、特に限定されるものではないが、図示実施形態におい  ては、帯状のシートとし、先端部分を強力な溶着部20によってマチ４部分に固定している。帯状の引き紐９の後端部には、指掛け部10として円形の貫通孔を穿設している。
【００２０】
図５に示す実施形態の医療用廃棄物収納袋の使用方法を、図８に基づいて説明する。例えば、使用済のオートインジェクタを袋に収容する場合、面ファスナー19で閉じられている折り返し蓋８を開け、図８(ａ)に示すように引き紐９の孔(指掛け部)に指を通し、図面上の左方向に引っ張ると、マチ４の解放部７が口を開ける。その状態で解放部７から使用済のオートインジェクタなどの医療用廃棄物を挿入すると、マチ４の貫通孔６を通過させて袋内に収納することができる。このとき、なるべく袋が動かないように、例えば平面的な机上に置いて、手で押さえながら操作するのが好ましい。
袋内に使用済のオートインジェクタが挿入された状態で、図８(ｂ)に示すように折り返し蓋を折り返し、面ファスナー19で折り返し蓋８を係止することによって作業が完了する。
【００２１】
図５ないし図８に示す面ファスナー19で開閉する実施形態の医療用廃棄物収納袋では、折り返し蓋の開閉操作に際し、スナップボタンのように厳密な位置合わせや係止動作を必要としない。
マチ４の開放部７は、例えばマチの対向面に密着している可能性がある。このような開放部７を開ける場合に、図示実施形態では開放部を手指で掴んで開ける必要がなく、引き紐９を引っ張ることによって開放部７を大きく開け、使用済のオートインジェクタといった医療用廃棄物を袋内に収納することができる。
これら一連の操作は、細かな指先の動作を必要としないため、多少手指の不自由な人でも、容易に取り扱うことができることになる。
【符号の説明】
【００２２】
１…収納袋、  ２…裏面シート、  ３…表面シート、  ４…マチ、  ５…折り返し部分、  ６…貫通孔、  ７…解放部、  ８…折り返し蓋、  ９…引き紐、  10…指掛け部、  11…折り線、  12…溶着部、  13…溶着部、  14…延長部、  15…スナップ釦、  16、17…折り返し、  18…マチ、  19…面ファスナー、  20…溶着部、  Ａ…医療用廃棄物。
【図１】
0003205156.tif 000003
【図２】
0003205156.tif 000004
【図３】
0003205156.tif 000005
【図４】
0003205156.tif 000006
【図５】
0003205156.tif 000007
【図６】
0003205156.tif 000008
【図７】
0003205156.tif 000009
【図８】
0003205156.tif 000010